(57)【要約】【課題】自動車バンパーを輸送する時に従来使用している段ボール箱を不要とし、梱包する作業を簡素化・省略し、包装コスト及び輸送コストの削減を可能にする包装具を提供すること。【解決手段】センター開きできる商品出入り自在の開口を上部に形成した横長の寝袋形態の柔軟な袋体である。該袋体は複数枚の矩形状のプラスチックシートを重ね合わせて形成され、少なくとも内層がクッション性を有し、外層が高強度・遮光構造にされている。袋の上部開口は、弾性体よりなる結束紐によって拡縮可能に絞り留めされるように構成されている。【選択図】図１
0003143335.tif 000002
【実用新案登録請求の範囲】
【請求項１】
センター開きできる商品出入り自在の開口を上部に形成した横長の寝袋形態の柔軟な袋体であり、該袋体は複数枚の横長矩形状のプラスチックシートを重ね合せて形成されていると共に少なくとも内層部がクッション性を有し、外層部が高強度・遮光構造にされている袋体であって、
袋体の上部開口は、弾性体よりなる結束用紐によって拡縮可能に絞り留めされるようになっていることを特徴とする自動車用バンパーの包装具。
【請求項２】
袋の内層部は、クッション性を有するシート状気泡緩衝材により形成され、袋の外層部は強靭で遮光性を有するプラスチック不織布を使用して形成され、前記内外のプラスチックシートは相対する長辺部が折り返されて中央部分で接離可能にラップするように構成され、相対する短辺部はＶ字形に縫い合わせて一体とされ、前記ラップした接離可能部を引き離すと、袋の短辺側の開口部がほぼＶ字形に開口するようにした請求項１に記載の自動車用バンパーの包装具。
【請求項３】
袋体の上部開口に、端部にフックを有する弾性体と、前記フックが係合する留め環とからなる結束紐がとりつけられている請求項１又２のいずれかに記載の自動車用バンパーの包装具。
【請求項４】
内側のプラスチックシートと外側のプラスチックシートは、複数個所で互いに熱溶着により一体化されている請求項１から３の何れか１項に記載の自動車用バンパーの包装具。
【考案の詳細な説明】
【技術分野】
【０００１】
本考案は自動車用バンパーを保管又は輸送するために使用する包装具に関する。
【背景技術】
【０００２】
自動車用バンパーは車体の前後に取り付けられていて、衝突時の衝撃から車本体を保護し、搭乗者の安全性を確保するための部品である。
このバンパーは車体のデザインと深く関わりがあり、車体と一体性のあるデザイン構造になっているが、一般的にいって、交通事故等によって凹み、キズが付きやすい。そのために凹みやキズが目立つと、多くの一般ユーザーは、通常このバンパーを新品と交換をする。
【０００３】
そのため自動車メーカーは、自社製品の自動車に合わせた交換部品としての自動車用バンパーを、自社の下請を含むバンパー製造工場や車両部品保管ヤードにストックしている。日本各地の自動車の販売店や修理工場は、ユーザーからバンパー交換の注文を受けると、必要な自動車用バンパーを系列メーカーのバンパー製造工場や車両部品保管ヤードから輸送用容器に収容して販売店の整備工場や修理工場に輸送している。
ところで多くのバンパーは、その材料がプラスチック素材であっても金属系のものであっても、バンパーの両端部は車体の形態に合わせて弓なりに曲がっていて、使用する車体と一体性のあるデザインとなっている。このような自動車用バンパーを工場等に輸送する際には、通常は、その新品のバンパーに輸送中に凹みやキズ等が付かぬように輸送用容器に入れて運送する。容器は、例えば特許文献１に示すようにバンパーの形状に合わせて、平面形状が横長の略凹字形をした段ボール箱が使用されていた。
【０００４】
しかし、略凹字形をした段ボール箱を使用する従来の梱包方法では、特殊形状である箱状体を製造するコストが高くつく。また、その箱に自動車用バンパーを格納し梱包する際に作業要員の労力負担も大きい。そのうえ、例えば図７のように積重ねて運搬保管する際にも嵩張るという難点がある。さらにまた、流通過程での検品、再梱作業も容易でないという問題点を有していた。
【０００５】
【特許文献１】特開２００１−３４１７３７
【特許文献２】実開昭６１−１８８９８６号
【考案の開示】
【考案が解決しようとする課題】
【０００６】
本考案の目的は上記従来技術の問題点を解消することであって、自動車バンパーの輸送時に損傷を防止するために従来使用している段ボール箱を不要とし、梱包する作業を簡素化・省略し、包装コスト及び輸送コストの削減を可能にする自動車用バンパーの包装具を提供することである。
【課題を解決するための手段】
【０００７】
上記課題を解決するため、本考案の請求項１は、
センター開きできる商品出入り自在の開口を上部に形成した横長の寝袋形態の柔軟な袋体であって、該袋体は複数枚の横長矩形状のプラスチックシートを重ね合わせて形成される共に少なくとも内層部がクッション性を有し、外層部が高強度遮光構造にされている袋体であり、袋体の上部開口は、弾性体よりなる結束紐によって拡縮可能に絞り留めされるようになっていることを特徴とする自動車用バンパーの包装具である。
【０００８】
請求項２の考案は、袋の内層部はクッション性を有するシート状気泡緩衝材により形成され、袋の外層部は強靭で遮光性を有するプラスチック製不織布を使用して形成され、前記内外のシートは相対する長辺部が折り返されて中央部分で接離可能にラップするように構成され、相対する短辺部はＶ字形に縫い合わせて一体とされ、前記ラップした接離可能部を引き離すと、袋の短辺側の開口部がほぼＶ字形に開口するようにしたことを特徴とする自動車用バンパーの包装具である。
【０００９】
請求項３の考案は、袋体の上部開口に、端部にフックを有する弾性体と前記フックが係合する留め環とからなる結束紐がとりつけられていることを特徴とする自動車用バンパーの包装具である。
【００１０】
請求項４の考案は、内側のプラスチックシートと外側のプラスチックシートは、複数個所で互いに熱溶着により一体化されていることを特徴とする自動車用バンパーの包装具である。
【考案の効果】
【００１１】
本考案によれば、センター開きできる開口を上部に形成した横長の寝袋形態に形成されているプラスチック製のフレキシブルな袋体により自動車用バンパーが包装されるので、バンパーの寸法（幅や長さ）が異なっても容易に対応することができる。
また、袋の内層部はクッション性を有し、外層部は高強度遮光構造にされているので袋に入れた商品は、流通過程での破損、劣化防止が可能である。
また袋体の上部開口はセンター開きでき、また袋の短辺側の開口部がほぼＶ字形に拡縮可能に開口するので商品挿入が楽に行える。そして弾性体よりなる結束紐により絞り留めされるので開口部の留めが簡易となり、流通過程での商品バンパーの出し入り、検品・再梱作業時間の短縮が容易である。
さらにまた、特別な段ボール箱を使用しないので嵩張ることがない。袋に入れた商品バンパーを直接重ね合わせて集積することができ、安定性もよく運搬保管することができる。袋はリターナブル処理が容易である。
【考案を実施するための最良の形態】
【００１２】
以下、添付図面を参照して本考案の実施の形態を説明する。
図１の（１）と（２）は、本考案の包装具と商品バンパーの一例を示し、一例として商品バンパー１０が横長の袋１１の上部に設けた開口部１２から作業員１〜２名で数１０秒で挿入することができるように構成されている。
図１の（３）は、商品バンパーが本考案の包装具によって包装された形態を示す姿図である。
【００１３】
この包装具は図１と図２に例示するように寝袋のような形態となっており、上部にはセンター開きできる開口部１２を備えている。
次に、本包装具の構成を図３と４を参照しながら説明する。本考案の袋１１は、軽量で強靭な矩形状のプラスチックシートを複数枚重合して形成されているものであり、袋の外層を構成する強靭な遮光シートである第１シート１３と、第１シートの内側（商品側）に配置される気泡緩衝材から第２シート１４から成り、両シートは適宜な手段で一体に接着される。
【００１４】
第１シート１３は、ワリフ（登録商標）として知られている一例としてポリエチレン不織布を使用する。第２シート１４は同じくエアキャップ（登録商標）とかプチプチ（登録商標）として知られている気泡緩衝シートを使用する。
【００１５】
第１シート１３と第２シート１４を複数個所で図３の（２）に示すように、スポット溶着１５により仮止めしておくとよい。その後、それぞれのシートの相対する長辺部を折り返して中央部分で図３の（３）に示すようにラップするように構成する。そのラップ幅Ｌ１は、一例として１００ｍｍ程度がよい。また相対する短辺側は４５度折にして重合するのがよい。
【００１６】
また相対する短辺側は、図４の（３）に示すように、Ｖ字形に糸で１６で縫合わせた構成とする。これにより、前記ラップした中央の接離可能部を引き離すと、袋の短辺側の開口部がほぼＶ形状に開口するので、商品バンパーが挿入し易い。また荷扱いの際、この部分は、補助取っ手として使用できる。
【００１７】
袋体１１の上部開口には、図５のように、端部にＳ字フック１７を有する弾性体１８と前記フックが係合する留め環１９とからなる結束紐２０が取付けられている。図６は弾性体１８と留め環１９の詳細を示す。
図２は、結束紐２０が本考案の袋体の３ケ所に取付けられている状態を示しており、図１の包装袋の姿図に対応するものである。
尚、本考案は上記した実施の形態に限定されるものではなく、本考案の要旨を逸脱しない範囲内において種々変更を加え得ることは勿論である。
【図面の簡単な説明】
【００１８】
【図１】本考案の包装具と商品バンパーの一例を示す斜視図。
【図２】本考案の包装具の形態を示す姿図である。
【図３】本包装具の作成プロセスの一段階を示す説明図。
【図４】同じく本包装具の作成プロセスの一段階を示す説明図。
【図５】袋の上部開口に設けた結束紐の取り付け状態を示した説明図。
【図６】Ｓ字フックを有する弾性体と前記フックが係合する留め環の説明図。
【図７】（１）は従来のバンパー包装箱の積み重ね保管状態、（２）は本考案の包装具の積み重ね保管状態を示す図。
【符号の説明】
【００１９】
１０  バンパー
１１  袋体
１２  開口部
１３  第１シート
１４  第２シート
１５  スポット溶着部
１６  糸
１７  Ｓ字フック
１８  弾性体
１９  留め輪
２０  結束紐
【図１】
0003143335.tif 000003
【図２】
0003143335.tif 000004
【図３】
0003143335.tif 000005
【図４】
0003143335.tif 000006
【図５】
0003143335.tif 000007
【図６】
0003143335.tif 000008
【図７】
0003143335.tif 000009